(57)【要約】【課題】吸着材の再生に熱量が必要となる場合でも吸着材を再生することができると共に、システム効率の向上を図ることが可能な燃料電池システムを提供する。【解決手段】燃料電池システム１は、アンモニアを貯蔵するタンク１０と、アンモニアを気化させる気化器２０と、改質ガスを生成する改質器３０と、改質ガスを冷却する第１熱交換器４０Ａと、改質ガスに含まれるアンモニアを吸着する吸着材５１を有し、燃料ガスを生成する複数の吸着器と、燃料ガスを用いて発電する燃料電池６０と、空気を第１熱交換器４０Ａに供給する空気供給部７０と、複数の吸着器のうち何れかの吸着器に第２熱交換器４０Ｂを通過した改質ガスが導入されて燃料ガスが生成されると共に、他の吸着器に第１熱交換器４０Ａを通過した空気が導入されて吸着材５１が再生されるように、切替弁８０Ａ〜８０Ｄを制御する制御部９０と、を備える。【選択図】図１
2019053854.tif 000002
【特許請求の範囲】
【請求項１】
液体状態のアンモニアを貯蔵するタンクと、
前記タンクから供給された液体状態のアンモニアを気化させる気化器と、
前記気化器により気化されたアンモニアを改質して改質ガスを生成する改質器と、
前記改質ガスを冷却する熱交換器と、
前記熱交換器により冷却された前記改質ガスに含まれる前記アンモニアを吸着する吸着材を有し、燃料ガスを生成する複数の吸着器と、
前記燃料ガスを用いて発電する燃料電池と、
前記改質ガスと熱交換する空気を前記熱交換器に供給する空気供給部と、
前記熱交換器を通過した前記改質ガスの供給先を前記複数の吸着器のうち何れかの吸着器に切り替えると共に、前記熱交換器を通過した前記空気の供給先を前記複数の吸着器のうち他の吸着器に切り替える切替弁と、
前記複数の吸着器のうち何れかの吸着器に前記熱交換器を通過した前記改質ガスが導入されて前記燃料ガスが生成されると共に、前記複数の吸着器のうち他の吸着器に前記熱交換器を通過した前記空気が導入されて前記吸着材が再生されるように、前記切替弁を制御する制御部と、を備える、燃料電池システム。
【請求項２】
前記熱交換器と前記複数の吸着器との間に配置され、前記改質ガスと冷却水とを熱交換することで前記改質ガスを冷却する他の熱交換器と、
前記他の熱交換器を通過した冷却水を前記気化器に供給する流路とを更に備え、
前記気化器は、前記他の熱交換器を通過した冷却水と前記液体状態のアンモニアとを熱交換することで前記液体状態のアンモニアを気化させる、請求項１に記載の燃料電池システム。
【請求項３】
前記冷却水を前記燃料電池に供給する流路を更に備える、請求項２に記載の燃料電池システム。
【発明の詳細な説明】
【技術分野】
【０００１】
本発明は、燃料電池システムに関する。
【背景技術】
【０００２】
従来の燃料電池システムとして、例えば特許文献１に記載されている技術が知られている。特許文献１に記載の燃料電池システムは、水素含有ガスを燃料ガスとして用いて発電する固体高分子型の燃料電池と、燃料ガスのアンモニアを吸着する吸着器と、アンモニアを改質して燃料ガスを発生する改質装置と、液体状態のアンモニアを貯留する貯留タンクと、貯留タンクと改質装置との間に設けられ、液体状態のアンモニアを改質装置に供給するポンプと、改質装置に空気を供給するポンプと、燃料電池に空気を供給するポンプとを備えている。
【先行技術文献】
【特許文献】
【０００３】
【特許文献１】特開２０１１−１４６１７５号公報
【発明の概要】
【発明が解決しようとする課題】
【０００４】
ところで、燃料電池システムの吸着器は、吸着材に吸着されたアンモニアの量が多くなると性能が低下する。このため、吸着材からアンモニアを除去する（吸着材を再生する）必要がある。特許文献１に記載の燃料電池システムでは、燃料電池から排出されるガスを回収し、このガスに含まれる水素を吸着器内で吸着されたアンモニアに衝突させることにより、吸着器の吸着材を再生する。しかしながら、再生に熱量が必要となる吸着材が用いられる場合、吸着材を再生することが困難となる場合がある。この場合、吸着材を再生するためにヒータ等を用いて吸着材を加熱する必要があるので、システム効率が悪い。
【０００５】
本発明は、吸着材の再生に熱量が必要となる場合でも吸着材を再生することができると共に、システム効率の向上を図ることが可能な燃料電池システムを提供することを目的とする。
【課題を解決するための手段】
【０００６】
本発明の一側面に係る燃料電池システムは、液体状態のアンモニアを貯蔵するタンクと、タンクから供給された液体状態のアンモニアを気化させる気化器と、気化器により気化されたアンモニアを改質して改質ガスを生成する改質器と、改質ガスを冷却する熱交換器と、熱交換器により冷却された改質ガスに含まれるアンモニアを吸着する吸着材を有し、燃料ガスを生成する複数の吸着器と、燃料ガスを用いて発電する燃料電池と、改質ガスと熱交換する空気を熱交換器に供給する空気供給部と、熱交換器を通過した改質ガスの供給先を複数の吸着器のうち何れかの吸着器に切り替えるとともに、熱交換器を通過した空気の供給先を複数の吸着器のうち他の吸着器に切り替える切替弁と、複数の吸着器のうち何れかの吸着器に熱交換器を通過した改質ガスが導入されて燃料ガスが生成されると共に、複数の吸着器のうち他の吸着器に熱交換器を通過した空気が導入されて吸着剤が再生されるように、切替弁を制御する制御部と、を備える。
【０００７】
この燃料電池システムでは、熱交換器を通過した空気によって吸着材を再生する。空気は、熱交換器において改質ガスの熱によって加熱されている。このように、加熱された空気が吸着器に導入されるので、再生に熱量が必要となる吸着材が用いられる場合であっても、吸着材を再生することができる。また、改質ガスからの廃熱を利用して空気が加熱されるので、システム効率の向上を図ることができる。
【０００８】
燃料電池システムは、熱交換器と複数の吸着器との間に配置され、改質ガスと冷却水とを熱交換することで改質ガスを冷却する他の熱交換器と、他の熱交換器を通過した冷却水を気化器に供給する流路とを更に備え、気化器は、他の熱交換器を通過した冷却水と液体状態のアンモニアとを熱交換することで液体状態のアンモニアを気化させてもよい。この構成によれば、他の熱交換器において改質ガスの熱によって冷却水が加熱される。気化器においては、加熱された冷却水の熱によって、液体状態のアンモニアを気化する。このように、改質ガスからの廃熱を利用してアンモニアが気化されるので、システム効率の更なる向上を図ることができる。
【０００９】
燃料電池システムは、冷却水を燃料電池に供給する流路を更に備えてもよい。この構成によれば、燃料電池に冷却水が供給され、冷却水によって燃料電池が冷却される。したがって、燃料電池を冷却するための冷却系を別途設ける必要が無いので、燃料電池システムのコストを低減することができる。
【発明の効果】
【００１０】
本発明によれば、吸着材の再生に熱量が必要となる場合でも吸着材を再生することができると共に、システム効率の向上を図ることが可能な燃料電池システムが提供される。
【図面の簡単な説明】
【００１１】
【図１】一実施形態に係る燃料電池システムを示すシステム構成図である。
【図２】図１の吸着器の構造を概略的に示す図である。
【図３】図１の燃料電池システムの変形例を示すシステム構成図である。
【図４】図１の燃料電池システムの他の変形例を示すシステム構成図である。
【図５】図４の熱交換器の構造を概略的に示す図である。
【発明を実施するための形態】
【００１２】
以下、図面を参照して種々の実施形態について詳細に説明する。なお、各図面において同一又は相当の部分に対しては同一の符号を付し、重複する説明を省略する。
【００１３】
図１は、本発明の一実施形態に係る燃料電池システムを示すシステム構成図である。図１に示される燃料電池システム１は、例えば燃料電池自動車又は家庭用燃料電池に用いられ得る。燃料電池システム１は、アンモニアを貯蔵するタンク１０と、アンモニアを気化させる気化器２０と、気化されたアンモニアを改質して改質ガスを生成する改質器３０と、改質ガスを冷却する第１熱交換器４０Ａと、改質ガスを冷却する第２熱交換器４０Ｂと、改質ガスから燃料ガスを生成する複数の吸着器（第１吸着器５０Ａ及び第２吸着器５０Ｂ）と、燃料ガスを用いて発電する燃料電池６０と、改質ガスと熱交換する空気を第１熱交換器４０Ａに供給する空気供給部７０と、複数の吸着器である第１吸着器５０Ａ及び第２吸着器５０Ｂをそれぞれ切り替える切替弁８０Ａ，８０Ｂ，８０Ｃ，８０Ｄと、切替弁８０Ａ〜８０Ｄを制御する制御部９０と、を備えている。
【００１４】
タンク１０は、アンモニアを液体状態で貯蔵するアンモニアタンクである。タンク１０は、例えば常温（２０℃〜２５℃程度）且つ数気圧（８気圧〜１０気圧程度）でアンモニアを貯蔵する。タンク１０では、アンモニアを気体ではなく液体状態で貯蔵するので、アンモニアを効率よく貯蔵することができる。これにより、燃料電池システム１の稼働時間を長くすることができる。また、タンク１０へのアンモニアの補充を容易に行うことができる。
【００１５】
気化器２０は、タンク１０の下流に設けられており、アンモニア供給管Ｌ１によってタンク１０と接続されている。気化器２０とタンク１０との間には、アンモニアを気化器２０内に導入するためにポンプＰ１が配置されている。気化器２０は、例えば液体状態のアンモニアを加熱することにより、液体状態のアンモニアを気化させる。
【００１６】
改質器３０は、気化器２０の下流に設けられており、アンモニアガス供給管Ｌ２を介して気化器２０と接続されている。改質器３０と気化器２０との間には、改質器３０に導入されるアンモニアガスの量を調整するインジェクタＩが設けられている。なお、燃料電池システム１はインジェクタＩに変えてマスフローコントローラ等を備えてもよい。また、燃料電池システム１はインジェクタＩを備えていなくてもよい。
【００１７】
改質器３０は、例えばＡＴＲ（Auto Thermal Reforming）型の改質器である。改質器３０は、空気を導入してアンモニアを改質することで、水素を含有する改質ガスを生成する。改質器３０に導入される空気は、空気供給管Ｌ３を介して空気供給部７０から供給される。改質器３０は、アンモニア酸化部３０ａと、このアンモニア酸化部３０ａの下流側に配置されたアンモニア分解部３０ｂとを有している。アンモニア酸化部３０ａは、アンモニアを酸化させることで、熱を発生させる。より具体的には、アンモニア酸化部３０ａにおいて、下記の式のように一部のアンモニアと空気中の酸素とが化学反応し、そのアンモニアの酸化反応により熱が発生する（発熱反応）。アンモニア酸化部３０ａでは、例えば白金（Ｐｔ）が触媒として用いられる。
ＮＨ３＋３／４Ｏ２→１／２Ｎ２＋３／２Ｈ２Ｏ
【００１８】
アンモニア分解部３０ｂは、アンモニア酸化部３０ａで発生した熱によってアンモニアを分解して水素を生成する。より具体的には、アンモニア分解部３０ｂにおいて、下記の式のようにアンモニア酸化部３０ａで発生した熱により残りのアンモニアの分解反応が起こり（吸熱反応）、水素がリッチな状態の改質ガスが生成される。なお、改質ガスには少量のアンモニアが含まれていても良い。アンモニア分解部３０ｂでは、例えばルテニウム（Ｒｕ）が触媒として用いられる。
ＮＨ３→３／２Ｈ２＋１／２Ｎ２
【００１９】
なお、ここでは、改質器３０がアンモニア酸化部３０ａ及びアンモニア分解部３０ｂを有しているが、アンモニアの酸化及び分解の両反応に活性を有する触媒を使用する場合には、アンモニア酸化部３０ａとアンモニア分解部３０ｂとを分けずに、アンモニアの酸化及び分解の両機能を有する一体型の改質器３０を使用してもよい。この場合には、一般的に酸化反応が分解反応よりも早く起きるため、上記と同様の反応が生じる。酸化及び分解の両反応に活性を有する触媒としては、例えばロジウム（Ｒｈ）等が用いられ得る。
【００２０】
また、改質器３０は、燃料電池システム１の起動運転時にアンモニアを分解するための熱を発生させるヒータ部を有していてもよい。ヒータ部は、例えばアンモニア酸化部３０ａの上流に設けられる。
【００２１】
第１熱交換器（熱交換器）４０Ａは、改質器３０の下流に設けられており、改質ガス供給管Ｌ４を介して改質器３０と接続されている。第１熱交換器４０Ａには、改質器３０で生成された改質ガスが導入される。また、第１熱交換器４０Ａは、空気供給管Ｌ５を介して空気供給部７０と接続されている。第１熱交換器４０Ａには、空気供給部７０から空気が供給される。第１熱交換器４０Ａでは、改質ガスと空気とを熱交換することにより、改質ガスを冷却すると共に、導入された空気を加熱する。これにより、改質ガスは、６００℃〜８００℃程度から３００℃〜４００℃程度まで冷却される。一方、空気は２５℃程度の室温から２００℃〜３００℃程度に加熱される。
【００２２】
第２熱交換器（他の熱交換器）４０Ｂは、第１熱交換器４０Ａの下流に設けられている。より具体的には、第２熱交換器４０Ｂは、第１熱交換器４０Ａと後述の吸着器（第１吸着器５０Ａと第２吸着器５０Ｂ）との間に配置されている。第２熱交換器４０Ｂは、改質ガス供給管Ｌ６を介して第１熱交換器４０Ａに接続されている。また、第２熱交換器４０Ｂには、冷却水が供給される。第２熱交換器４０Ｂでは、第１熱交換器４０Ａで冷却された改質ガスと冷却水とを熱交換することにより、改質ガスを更に冷却する。冷却水は、改質ガスによって加熱される。これにより、第１熱交換器４０Ａを通過した改質ガスは、３００℃〜４００℃程度から３０℃〜１００℃程度まで冷却される。
【００２３】
冷却水は、冷却水供給管（流路）Ｌ７を介して第２熱交換器４０Ｂに導入される。冷却水供給管Ｌ７上には、冷却水を冷却するためのラジエータ１００及び冷却水を第２熱交換器４０Ｂに向けて送り出すポンプＰ２が配置されている。冷却水は、第２熱交換器４０Ｂにおける改質ガスとの熱交換により、６０℃〜７０℃程度に加熱される。第２熱交換器４０Ｂを通過して加熱された冷却水は、冷却水供給管（流路）Ｌ８を介して気化器２０に導入される。第２熱交換器４０Ｂによって加熱された冷却水の熱は、気化器２０において液体状態のアンモニアを効率よく気化させるために利用される。気化器２０を通過した冷却水は冷却水供給管Ｌ７上のラジエータ１００によって冷却され、再び第２熱交換器４０Ｂに導入される。すなわち、冷却水は、冷却水供給管Ｌ７及び冷却水供給管Ｌ８を介して、第２熱交換器４０Ｂ、気化器２０、及びラジエータ１００の間を循環している。
【００２４】
第１吸着器５０Ａは、第２熱交換器４０Ｂの下流に設けられており、改質ガス供給管Ｌ９を介して第２熱交換器４０Ｂと接続されている。第１吸着器５０Ａは、改質ガスに含まれるアンモニアを除去することにより、高純度の水素ガスである燃料ガスを生成する。第１吸着器５０Ａで生成された燃料ガスは、燃料ガス供給管Ｌ１０を介して燃料電池６０に導入される。
【００２５】
図２に示されるように、第１吸着器５０Ａは、改質ガスに含まれるアンモニアを吸着するための吸着材５１を有している。吸着材５１は、例えば多数の細孔を有する多孔体であり、静電相互作用等によってアンモニアを細孔に吸着させる。また、吸着材５１は化学的結合によってアンモニアを吸着してもよい。吸着材５１としては、例えば活性炭の多孔体、アルミナ、又はゼオライト等が用いられ得る。
【００２６】
再び図１に戻り、第２吸着器５０Ｂは、第１吸着器５０Ａと同様に第２熱交換器４０Ｂの下流に設けられており、改質ガス供給管Ｌ９を介して第２熱交換器４０Ｂと接続されている。第２吸着器５０Ｂは、第１吸着器５０Ａに対して並列に配置されている。第２吸着器５０Ｂは、第１吸着器５０Ａと同様に吸着材５１を有しており、改質ガスに含まれるアンモニアを除去することにより、高純度の水素ガスである燃料ガスを生成する。第２吸着器５０Ｂで生成された燃料ガスは、燃料ガス供給管Ｌ１０を介して燃料電池６０に導入される。
【００２７】
改質ガス供給管Ｌ９上には、切替弁８０Ａが設けられている。切替弁８０Ａは、例えば三方弁であり、第２熱交換器４０Ｂと第１吸着器５０Ａとの接続、及び、第２熱交換器４０Ｂと第２吸着器５０Ｂとの接続を切り替える。すなわち、切替弁８０Ａは、第２熱交換器４０Ｂから供給される改質ガスが第１吸着器５０Ａ又は第２吸着器５０Ｂに導入されるように、改質ガス供給管Ｌ９を切り替える。
【００２８】
燃料ガス供給管Ｌ１０上には、切替弁８０Ｂが設けられている。切替弁８０Ｂは、例えば三方弁であり、第１吸着器５０Ａと燃料電池６０との接続、及び、第２吸着器５０Ｂと燃料電池６０との接続を切り替える。すなわち、切替弁８０Ｂは、第１吸着器５０Ａ又は第２吸着器５０Ｂから供給される燃料ガスが燃料電池６０に導入されるように、燃料ガス供給管Ｌ１０を切り替える。
【００２９】
また、第１吸着器５０Ａ及び第２吸着器５０Ｂは、空気供給管Ｌ１１を介して第１熱交換器４０Ａと接続されている。第１熱交換器４０Ａで加熱された空気は、空気供給管Ｌ１１を介して第１吸着器５０Ａ又は第２吸着器５０Ｂに供給される。第１吸着器５０Ａ及び第２吸着器５０Ｂは、吸着材５１に吸着されたアンモニアの量が多くなると性能が低下する。このため、吸着材５１からアンモニアを除去する（吸着材５１を再生する）必要がある。燃料電池システム１では、第１熱交換器４０Ａで加熱された空気を用いて第１吸着器５０Ａ及び第２吸着器５０Ｂの吸着材５１を再生する。第１吸着器５０Ａ及び第２吸着器５０Ｂを通過した空気は、排ガスとして空気排出管Ｌ１２を介して燃料電池システム１の外部に排出される。
【００３０】
空気供給管Ｌ１１上には、切替弁８０Ｃが設けられている。切替弁８０Ｃは、例えば三方弁であり、第１熱交換器４０Ａと第１吸着器５０Ａとの接続、及び、第１熱交換器４０Ａと第２吸着器５０Ｂとの接続を切り替える。すなわち、切替弁８０Ｃは、第１熱交換器４０Ａで加熱された空気が第１吸着器５０Ａ又は第２吸着器５０Ｂに導入されるように、空気供給管Ｌ１１を切り替える。
【００３１】
このように、切替弁８０Ａ，８０Ｃは、第２熱交換器４０Ｂを通過した改質ガスの供給先を複数の吸着器のうち何れかの吸着器に切り替えると共に、第１熱交換器４０Ａを通過した空気の供給先を複数の吸着器のうち他の吸着器に切り替える。
【００３２】
空気排出管Ｌ１２上には、切替弁８０Ｄが設けられている。切替弁８０Ｄは、例えば三方弁であり、第１吸着器５０Ａと燃料電池システム１の外部との接続、及び、第２吸着器５０Ｂと燃料電池システム１の外部との接続を切り替える。すなわち、切替弁８０Ｄは、第１吸着器５０Ａ又は第２吸着器５０Ｂから排ガスが燃料電池システム１の外部に排出されるように、空気排出管Ｌ１２を切り替える。
【００３３】
切替弁８０Ａ〜８０Ｄは、制御部９０によって制御される。制御部９０は、複数の吸着器のうち何れかの吸着器に第２熱交換器４０Ｂを通過した改質ガスが導入されて燃料ガスが生成されると共に、複数の吸着器のうち他の吸着器に第１熱交換器４０Ａを通過した空気が導入されて吸着材５１が再生されるように、切替弁８０Ａ〜８０Ｄを制御する。
【００３４】
例えば、制御部９０は、切替弁８０Ａによって第２熱交換器４０Ｂと第１吸着器５０Ａとを接続し、改質ガスを第１吸着器５０Ａに導入して燃料ガスを生成する場合には、切替弁８０Ｃによって第１熱交換器４０Ａと第２吸着器５０Ｂとを接続し、加熱された空気を第２吸着器５０Ｂに導入して第２吸着器５０Ｂの吸着材５１を再生する。このとき、制御部９０は、第１吸着器５０Ａと燃料電池６０とが接続されるように切替弁８０Ｂを制御する。すなわち、制御部９０は、第１吸着器５０Ａで生成された燃料ガスが燃料電池６０に導入されるように切替弁８０Ｂを切り替える。また、制御部９０は、第２吸着器５０Ｂからの排ガスが外部に排出されるように、切替弁８０Ｄを制御する。
【００３５】
反対に、制御部９０は、切替弁８０Ａによって第２熱交換器４０Ｂと第２吸着器５０Ｂとを接続し、改質ガスを第２吸着器５０Ｂに導入して燃料ガスを生成する場合には、切替弁８０Ｃによって第１熱交換器４０Ａと第１吸着器５０Ａとを接続し、加熱された空気を第１吸着器５０Ａに導入して第１吸着器５０Ａの吸着材５１を再生する。このとき、制御部９０は、第２吸着器５０Ｂで生成された燃料ガスが燃料電池６０に導入されるように切替弁８０Ｂを制御する。また、制御部９０は、第１吸着器５０Ａからの排ガスが外部に排出されるように、切替弁８０Ｄを制御する。このように、制御部９０が一方の吸着器で燃料ガスを生成している間に他方の吸着器の吸着材５１を再生するように切替弁８０Ａ〜８０Ｄを制御することにより、燃料電池６０に燃料ガスを継続して供給することができる。
【００３６】
燃料電池６０は、第１吸着器５０Ａ及び第２吸着器５０Ｂの下流に設けられており、燃料ガス供給管Ｌ１０を介して第１吸着器５０Ａ及び第２吸着器５０Ｂと接続されている。また、燃料電池６０は、空気供給管Ｌ１３を介して空気供給部７０と接続されている。燃料電池６０は、第１吸着器５０Ａ又は第２吸着器５０Ｂから供給された燃料ガスと、空気供給管Ｌ１３を介して空気供給部７０から供給された空気とを用いて発電を行う。燃料電池６０としては、例えば固体高分子形の燃料電池（ＰＥＦＣ：Polymer electrolyte Fuel Cell）が用いられ得る。なお、燃料電池６０は固体高分子形に限定されず、固体酸化物形又はアルカリ形の燃料電池等であってもよい。
【００３７】
空気供給部７０には、空気供給管Ｌ３，Ｌ５，Ｌ１３が接続されている。空気供給部７０は、空気供給管Ｌ３，Ｌ５，Ｌ１３を介して、それぞれ改質器３０、第１熱交換器４０Ａ、及び燃料電池６０に空気を供給する。
【００３８】
以上説明したように、燃料電池システム１においては、第１熱交換器４０Ａを通過した空気によって吸着材５１を再生する。空気は、第１熱交換器４０Ａにおいて改質ガスの熱によって加熱されている。このように、加熱された空気が第１吸着器５０Ａ又は第２吸着器５０Ｂに導入されるので、再生に熱量が必要となる吸着材５１が用いられる場合であっても、吸着材５１を再生することができる。また、改質ガスからの廃熱を利用して空気が加熱されるので、システム効率の向上を図ることができる。
【００３９】
また、燃料電池システム１は、第１熱交換器４０Ａと複数の吸着器（第１吸着器５０Ａ及び第２吸着器５０Ｂ）との間に配置され、改質ガスと冷却水とを熱交換することで改質ガスを冷却する第２熱交換器４０Ｂと、第２熱交換器４０Ｂを通過した冷却水を気化器２０に供給する冷却水供給管Ｌ８とを更に備え、気化器２０は、第２熱交換器４０Ｂを通過した冷却水と液体状態のアンモニアとを熱交換することで液体状態のアンモニアを気化させる。これにより、第２熱交換器４０Ｂにおいて改質ガスの熱によって冷却水が加熱される。気化器２０においては、加熱された冷却水の熱によって、液体状態のアンモニアを気化する。このように、改質ガスからの廃熱を利用してアンモニアが気化されるので、システム効率の更なる向上を図ることができる。
【００４０】
また、第１熱交換器４０Ａが第２熱交換器４０Ｂよりも上流に配置されていることにより、より高温の改質ガスと空気とを熱交換することができる。したがって、吸着材５１の再生に用いる空気を効率よく加熱することが可能である。
【００４１】
次に、図３を参照して、変形例に係る燃料電池システム２について説明する。図３は、図１の燃料電池システム１の変形例を示すシステム構成図である。図３に示されるように、燃料電池システム２は、燃料電池システム１と同様に、タンク１０と、気化器２０と、改質器３０と、第１熱交換器４０Ａと、第２熱交換器４０Ｂと、第１吸着器５０Ａ及び第２吸着器５０Ｂと、燃料電池６０と、空気供給部７０と、切替弁８０Ａ，８０Ｂ，８０Ｃ，８０Ｄと、制御部９０と、を備えている。
【００４２】
燃料電池システム２が燃料電池システム１と相違する点は、冷却水を燃料電池６０に供給する冷却水供給管（流路）Ｌ１４を更に備える点である。ラジエータ１００及びポンプＰ２は、冷却水供給管Ｌ１４上に設けられている。燃料電池６０を通過した冷却水は、冷却水供給管Ｌ７を介して第２熱交換器４０Ｂに導入される。すなわち、冷却水は、冷却水供給管Ｌ７，Ｌ８，Ｌ１４を介して、燃料電池６０、第２熱交換器４０Ｂ、気化器２０、及びラジエータ１００の間を循環している。
【００４３】
以上説明したように、変形例に係る燃料電池システム２においても、第１熱交換器４０Ａを通過した空気によって吸着材５１を再生する。空気は、第１熱交換器４０Ａにおいて改質ガスの熱によって加熱されている。このように、加熱された空気が第１吸着器５０Ａ又は第２吸着器５０Ｂに導入されるので、再生に熱量が必要となる吸着材５１が用いられる場合であっても、吸着材５１を再生することができる。また、改質ガスからの廃熱を利用して空気が加熱されるので、システム効率の向上を図ることができる。
【００４４】
また、燃料電池システム２は、冷却水を燃料電池６０に供給する冷却水供給管Ｌ１４を更に備えている。これにより、燃料電池６０に冷却水が供給され、冷却水によって燃料電池６０が冷却される。したがって、燃料電池６０を冷却するための冷却系を別途設ける必要が無いので、燃料電池システム２のコストを低減することができる。
【００４５】
次に、図４及び図５を参照して変形例に係る燃料電池システム３について説明する。図４は、図１の燃料電池システム１の他の変形例を示すシステム構成図である。図５は、図４の熱交換器の構造を概略的に示す図である。図４及び図５に示されるように、変形例に係る燃料電池システム３は、燃料電池システム１と同様に、タンク１０と、気化器２０と、改質器３０と、第１吸着器５０Ａ及び第２吸着器５０Ｂと、燃料電池６０と、空気供給部７０と、切替弁８０Ａ，８０Ｂ，８０Ｃ，８０Ｄと、制御部９０と、を備えている。燃料電池システム３が燃料電池システム１と相違する点は、第１熱交換器４０Ａ及び第２熱交換器４０Ｂに代えて、熱交換器４０Ｃを備える点である。燃料電池システム３は、改質ガス供給管Ｌ６を備えておらず、改質ガス供給管Ｌ９が熱交換器４０Ｃに接続されている。
【００４６】
熱交換器４０Ｃには、冷却水供給管Ｌ１５が接続されており、冷却水が供給される。熱交換器４０Ｃを通過した冷却水は、冷却水供給管Ｌ１６を介して気化器２０に供給される。また、熱交換器４０Ｃには空気供給管Ｌ５が接続されており、空気供給部７０から空気が導入される。熱交換器４０Ｃでは、改質器３０から供給された改質ガスと冷却水との熱交換、及び改質ガスと空気との熱交換が同時に行われる。熱交換器４０Ｃは、改質ガスが通過する管部４１と、熱交換器４０Ｃに導入された空気が通過する第１冷却部４２と、熱交換器４０Ｃに導入された冷却水が通過する第２冷却部４３と、を有している。第１冷却部４２は、例えば管部４１の上流側の部分において、管部４１の周囲を囲むように設けられている。第２冷却部４３は、例えば管部４１の下流側の部分において、管部４１の周囲を囲むように設けられている。このように、熱交換器４０Ｃが、改質ガスと冷却水との熱交換、及び、改質ガスと空気との熱交換の両方を行うことにより、燃料電池システム３の簡略化を図ることができる。
【００４７】
以上、本発明の実施形態について説明してきたが、本発明は上記の実施形態に限定されず、種々の変更を行うことができる。例えば、上記の実施形態では、第１吸着器５０Ａ及び第２吸着器５０Ｂの２つの吸着器を備える例について説明したが、吸着器の数は３つ以上であってもよい。例えば、燃料電池システムが３つの吸着器を備える場合には、２つの吸着器によって燃料ガスを生成し、他の１つの吸着器の吸着材５１を再生してもよい。また、１つの吸着器によって燃料ガスを生成し、他の２つの吸着器の吸着材５１を再生してもよい。
【００４８】
また、上記の実施形態では、第１吸着器５０Ａ及び第２吸着器５０Ｂの切り替えを行うために４つの切替弁８０Ａ〜８０Ｄを用いる例について説明したが、第１吸着器５０Ａ及び第２吸着器５０Ｂの切り替えを行うための切替弁の構成は特に限定されず、適宜変更可能である。また、切替弁８０Ａ〜８０Ｄは三方弁でなくてもよい。
【００４９】
また、上記の実施形態では、燃料電池システム１が冷却水供給管Ｌ７，Ｌ８、ラジエータ１００、及びポンプＰ２を含む冷却系を備える例について説明したが、燃料電池システム１はこのような冷却系を備えていなくてもよい。
【００５０】
また、上記の実施形態では、ＡＴＲ型の改質器３０を用いる例について説明したが、改質器３０の種類は特に限定されず、適宜変更可能である。
【符号の説明】
【００５１】
１，２，３…燃料電池システム、１０…タンク、２０…気化器、３０…改質器、４０Ａ…第１熱交換器（熱交換器）、４０Ｂ…第２熱交換器（他の熱交換器）、５０Ａ…第１吸着器（吸着器）、５０Ｂ…第２吸着器（吸着器）、５１…吸着材、６０…燃料電池、７０…空気供給部、８０Ａ，８０Ｂ，８０Ｃ，８０Ｄ…切替弁、９０…制御部、Ｌ７，Ｌ８，Ｌ１４，Ｌ１５，Ｌ１６…冷却水供給管（流路）。
【図１】
2019053854.tif 000003
【図２】
2019053854.tif 000004
【図３】
2019053854.tif 000005
【図４】
2019053854.tif 000006
【図５】
2019053854.tif 000007